(57)【特許請求の範囲】
【請求項１】
長手方向に沿う一の縁部が回動可能に連結され前記一の縁部と反対側の他の縁部が解除可能に合着する第一の半筒体及び第二の半筒体からなる筒体本体を備える電線用カバーであって、前記第一の半筒体及び前記第二の半筒体が電線を通すための開口を設けられた縮径底部をその両端部に有する、電線用カバーにおいて、
前記第一の半筒体の縮径底部と前記第二の半筒体の縮径底部との間に可撓性のヒンジ部を備え、
前記筒体本体の長手方向に直交する前記ヒンジ部の横断面が、前記ヒンジ部の枢軸部を頂点とする略Ｖ字形状であり、
前記ヒンジ部の枢軸部が、前記第一の半筒体の前記他の縁部と前記第二の半筒体の前記他の縁部とが合着したとき、前記筒体本体の長手方向外方へ向かうにしたがい前記筒体本体の内方に傾斜しており、
前記ヒンジ部が流体の前記電線用カバー内への浸入を防止することを特徴とする、電線用カバー。
【請求項２】
前記他の縁部に沿って前記筒体本体の端部の近傍にスリットが設けられるとともに、前記他の縁部の近傍であって前記筒体本体の端部の近傍の内面に、前記筒体本体の長手方向外方に向かうにしたがい前記筒体本体の外面の方へ傾斜する傾斜部が設けられたことを特徴とする、請求項１に記載の電線用カバー。
【請求項３】
前記第一の半筒体の前記他の縁部に沿って延び、先端が前記筒体本体の内方へ屈曲している第一の遮蔽リブと、前記第二の半筒体の前記他の縁部に沿って延びる第二の遮蔽リブとを備え、前記第一の半筒体の前記他の縁部と前記第二の半筒体の前記他の縁部とが合着したとき、前記第一の遮蔽リブが前記第二の遮蔽リブより前記筒体本体の内方に延在するように重畳的に配設されて、電流が前記電線用カバーの外部へ漏洩することを防止することを特徴とする、請求項１又は２に記載の電線用カバー。
【請求項４】
前記筒体本体の所定箇所に設けられた把持部材が、前記把持部材の前記筒体本体に対する所定方向の回動を規制する回動規制部を備えることを特徴とする、請求項１乃至３の何れか１項に記載の電線用カバー。
【請求項５】
前記第一の半筒体及び前記第二の半筒体の少なくともいずれか一方の半筒体の内面に設けられた可撓性のリング状移動規制部であって、前記リング状移動規制部の環状外面が前記筒体本体の内方へ向けて凸部を形成することを特徴とする、請求項１乃至４の何れか１項に記載の電線用カバー。
【請求項６】
前記リング状移動規制部が、前記少なくともいずれか一方の半筒体と一体成形されたことを特徴とする、請求項５に記載の電線用カバー。
【請求項７】
前記環状外面に前記筒体本体の長手方向と略平行に延びるように溝が形成されたことを特徴とする、請求項５又は６に記載の電線用カバー。
【発明の詳細な説明】
【技術分野】
【０００１】
本発明は、電線用カバーに関する。より詳細には、バイパス経路を施すために施工された架空配電線等の電線に使用するカバーに関する。
【背景技術】
【０００２】
架空配電線の工事において、作業者の安全を確保するため工事箇所周辺にバイパス経路を施す手法が広く採用されている。バイパス経路を形成するためには、バイパスケーブルで繋がれたバイパス用クランプを本線である電線に接続する必要がある。このような接続をする方式として以下の方式が一般的である。
（１）電線把持部に刃型電極を備えたクランプにより電線を被覆する絶縁部を貫通させる方式（被覆貫通クランプによる方式）
（２）電線の絶縁部を剥ぎとり、露出した芯線部をクランプで掴む方式
何れの方式においても、工事終了後はバイパス用クランプを取り外した接続痕からの短絡を防ぐために、絶縁性樹脂で形成された電線用カバーを電線に装着して電流の漏洩防止や雨水等の浸入抑制を行っている。上記（１）の方式に使用する電線用カバーとして、電線用カバー内部に粘着性のシール材が設けられており、これにより、接続時に付いた刃型電極痕を塞ぐとともに、電線に防護管を装着する際のカバーの移動を防ぐ電線用カバーが提案されている（例えば、特許文献１参照）。上記（２）の方式に使用する電線用カバーとして、電線用カバー内部に突片を設け、この突片が芯線の露出部に圧接支持することで露出部を補修するとともにカバーの移動を防ぐ電線用カバーが提案されている（例えば、特許文献２参照）。また、雨水の浸入を防止するために、内部に絶縁パテを充填された電線用カバーが提案されている（例えば、特許文献３参照）。
【先行技術文献】
【特許文献】
【０００３】
【特許文献１】特開２００４−３２０９６１号公報
【特許文献２】特開２００３−２６４９１７号公報
【特許文献３】特開平１１−１３６８２９号公報
【発明の概要】
【発明が解決しようとする課題】
【０００４】
特許文献１に記載された発明に係る電線用カバーは、要求される耐電圧性能を得るために粘着性のシール材で確実に刃型電極痕を覆う必要があるため、電線用カバーの嵌合部がカバーの陰になりがちである。そのため、電線用カバーの電線に対する位置決めを容易にできない場合がある。また、作業者がカバーの角度や装着の完了を見極めることが困難な場合がある。特許文献２に記載された発明に係る電線用カバーは、突片の大きさを電線の外径に合わせて変更する必要があるため、汎用性が低いという問題がある。特許文献３に記載された発明に係る電線用カバーは、電線に装着する際に絶縁パテがカバーの外に漏れ出したり、パテを無理に押さえつけるためにカバーの嵌合性が悪くなるという問題がある。
【課題を解決するための手段】
【０００５】
上記課題を解決するための本発明に係る一の電線用カバーは、長手方向に沿う一の縁部が回動可能に連結され前記一の縁部と反対側の他の縁部が解除可能に合着する第一の半筒体及び第二の半筒体からなる筒体本体を備える電線用カバーであって、前記第一の半筒体及び前記第二の半筒体が電線を通すための開口を設けられた縮径底部をその両端部に有し、前記第一の半筒体の縮径底部と前記第二の半筒体の縮径底部との間に可撓性のヒンジ部を備え、前記ヒンジ部が流体の前記電線用カバー内への浸入を防止することを特徴とする。
【０００６】
好ましくは、前記筒体本体の長手方向に直交する前記ヒンジ部の横断面が、前記ヒンジ部の枢軸部を頂点とする略Ｖ字形状であり、前記ヒンジ部の枢軸部が、前記第一の半筒体の前記他の縁部と前記第二の半筒体の前記他の縁部とが合着したとき、前記筒体本体の長手方向外方へ向かうにしたがい前記筒体本体の内方に傾斜していることを特徴とする。
【０００７】
また好ましくは、前記他の縁部に沿って前記筒体本体の端部の近傍にスリットが設けられるとともに、前記他の縁部の近傍であって前記筒体本体の端部の近傍の内面に、前記筒体本体の長手方向外方に向かうにしたがい前記筒体本体の外面の方へ傾斜する傾斜部が設けられたことを特徴とする。
【０００８】
また好ましくは、前記第一の半筒体の前記他の縁部に沿って延び、先端が前記筒体本体の内方へ屈曲している第一の遮蔽リブと、前記第二の半筒体の前記他の縁部に沿って延びる第二の遮蔽リブとを備え、前記第一の半筒体の前記他の縁部と前記第二の半筒体の前記他の縁部とが合着したとき、前記第一の遮蔽リブが前記第二の遮蔽リブより前記筒体本体の内方に延在するように重畳的に配設されて、電流が前記電線用カバーの外部へ漏洩することを防止することを特徴とする。
【０００９】
また好ましくは、前記筒体本体の所定箇所に設けられた把持部材が、前記把持部材の前記筒体本体に対する所定方向の回動を規制する回動規制部を備えることを特徴とする。
また好ましくは、前記第一の半筒体及び前記第二の半筒体の少なくともいずれか一方の半筒体の内面に設けられた可撓性のリング状移動規制部であって、前記リング状移動規制部の環状外面が前記筒体本体の内方へ向けて凸部を形成することを特徴とする。前記リング状移動規制部が、前記少なくともいずれか一方の半筒体と一体成形されたことを特徴とする。
【００１０】
また好ましくは、前記環状外面に前記筒体本体の長手方向と略平行に延びるように溝が形成されたことを特徴とする。
【発明の効果】
【００１１】
本発明は、電線用カバーの耐電圧性能（特に、散水時）を向上させることができるという有利な効果を奏する。また、本発明は、ヒンジ部の回動が安定するという有利な効果を奏する。また、本発明は、電線用カバー内に浸入した雨水等の流体を効率的に排水することができるという有利な効果を奏する。また、本発明は、前記第一の遮蔽リブが前記第二の遮蔽リブの干渉を有効に防止することができるという有利な効果を奏する。また、本発明には、前記電線用カバーを電線に対して安定して装着することができるとともに、作業性が向上する効果がある。
【００１２】
さらに、本発明は、電線が筒体本体（電線用カバー）内でその長手方向に移動することを有効に規制することができるとともに、本発明に係る電線カバーを異なる外径を有する電線に使用することができるという有利な効果を奏する。本発明は、リング状移動規制部が電線を押圧する力を調整して電線を過度に押圧することを防止するという有利な効果を奏する。
【図面の簡単な説明】
【００１３】
【図１】本発明に係る一の電線用カバーが開いた状態の平面図である。
【図２】図１中の電線用カバーをＡ方向から見た側面図である。
【図３】図１中の電線用カバーが閉じた状態の平面図である。
【図４】図３中の電線用カバーをＢ方向から見た側面図である。
【図５】図３中のａ−ａ線に沿う断面図である。
【図６】図２中のヒンジ部の拡大斜視図である。
【図７】本発明に係る他の電線用カバーが開いた状態の平面図である。
【図８】本発明に係る一の電線用カバーが装着される電線の正面図である。
【図９】本発明に係る一の電線用カバーを電線に装着する方法を説明するための側面図である。
【図１０】本発明に係る一の電線用カバーを閉じる方法を説明するための側面図である。
【図１１】本発明に係る他の電線用カバーが装着される電線の正面図である。
【発明を実施するための形態】
【００１４】
［実施例１］
図１及び図２中、電線用カバー１０は、筒体本体２０を備える。電線用カバー１０は、絶縁性材料（例えば、絶縁性樹脂）から形成される。筒体本体２０は、第一の半筒体３０及び第二の半筒体４０からなる。第一の半筒体３０の長手方向に沿う一の縁部３１と第二の半筒体４０の長手方向に沿う一の縁部４１とは回動可能に連結される。図３及び図４に示すように、一の縁部３１と反対側の他の縁部３２と一の縁部４１と反対側の他の縁部４２とが解除可能に合着することにより、筒体を形成する。より詳細には、他の縁部３２の略中央部３２ａ（図１参照）と他の縁部４２の略中央部４２ａ（図１参照）とは隙間なく合着する。他の縁部３２の両端部近傍部３２ｂ，３２ｃ（図１参照）は略中央部３２ａより低く形成され、他の縁部４２の両端部近傍部４２ｂ，４２ｃ（図１参照）も同様に形成される。これによって、他の縁部３２と他の縁部４２とが合着したとき、図４等に示すように、他の縁部３２，４２に沿って筒体本体２０の両端部の近傍にスリット２３，２４が形成される。電線用カバー１０内に浸入した雨水等の流体は、スリット２３，２４を経由して効率的に排出される。なお、このようなスリットは、筒体本体２０の一方の端部近傍のみに設けられてもよい。
【００１５】
第一の半筒体３０及び第二の半筒体４０は夫々、内面３３，４３及び外面３４，４４を有する。他の縁部３２，４２の近傍であって筒体本体２０の両端部の近傍の内面４３，４４に、筒体本体２０の長手方向外方に向かうにしたがい筒体本体２０の外面３４，４４の方へ傾斜する傾斜部３３ａ，４３ａ，３３ｂ，４３ｂが設けられる。傾斜部３３ａ，４３ａ，３３ｂ，４３ｂは、電線用カバー１０内に浸入した雨水等の流体の排出に寄与する。なお、このような傾斜部は、筒体本体２０の一方の端部のみに設けられてもよい。
【００１６】
図１中、第一の半筒体３０は、第一の半筒体３０（筒体本体２０）の長手方向外方に向かうに従い縮径するような略円錐形の一部の形態を有する縮径端部３５，３６を両端部に有する。第二の半筒体４０も、第一の半筒体３０と同様に、縮径端部４５，４６を両端部に有する。第一の半筒体３０の他の縁部３２と第二の半筒体４０の他の縁部４２とが合着したとき、縮径端部３５及び縮径端部４５が截頭された略円錐形を形成する（図３参照）。図４に示すように、その略円錐形の頂面２１には電線１を通すための開口２１ａが設けられている。縮径端部３６及び縮径端部４６は、上述した縮径端部３５及び縮径端部４５と同様に、電線１を通すための開口２２ａが頂面２２に設けられている截頭された略円錐形を形成する。第一の半筒体３０の両端部近傍の内面３３に設けられた一列乃至は複数列のひだ部３３ｃ，３３ｄと、第二の半筒体４０の両端部近傍の内面４３に設けられた一列乃至は複数列のひだ部４３ｃ，４３ｄとは協働して、第一の半筒体３０の他の縁部３２と第二の半筒体４０の他の縁部４２とが合着したとき、電線用カバー１０内を通る電線１を保持するとともに虫害を防止する。
【００１７】
図１及び図５に示すように、第一の半筒体３０の他の縁部３２に沿って延び、先端３７ａが筒体本体２０（電線用カバー１０）の内方（或いは、長手方向中心の方）へ屈曲している第一の遮蔽リブ３７と、第二の半筒体４０の他の縁部４２に沿って延びる第二の遮蔽リブ４７とが設けられる。第一の半筒体３０の他の縁部３２と第二の半筒体４０の他の縁部４２とが合着したとき、第一の遮蔽リブ３７が第二の遮蔽リブ４７より筒体本体２０（電線用カバー１０）の内方に延在するように重畳的に配設されて、電流が電線用カバー１０の外部へ漏洩することを防止するとともに、雨水等の流体が他の縁部３２，４２から電線用カバー１０内へ浸入することを防止する。また、第一の遮蔽リブ３７の先端３７ａが屈曲していることにより、上記合着の際に第一の遮蔽リブ３７と第二の遮蔽リブ４７とが干渉することを未然に防止する。
【００１８】
図１に示すように、第一の半筒体３０の内面３３に所定距離（外端間の距離ｌ）離間した２つの突片状移動規制部３８が設けられる。突片状移動規制部３８の上面３８ａは、電線１を保持し易いように凹状の曲面を形成する。第二の半筒体４０の内面４２に所定距離（例えば、外端間の距離ｌ）離間した２つの可撓性のリング状移動規制部４８が第二の半筒体４０と一体成形されて設けられる。リング状移動規制部４８は、このように一体成形されなくてもよい。リング状移動規制部４８は、図１に示すように、他の縁部３２と他の縁部４２とが合着したときに突片状移動規制部３８の位置と対応するよう配設されることが好ましい。なお、２つの突片状移動規制部３８の外端間の距離と２つの可撓性のリング状移動規制部４８の外端間の距離とは等しいことが好ましいが、等しくなくてもよい。リング状移動規制部４８の環状外面４８ａは、筒体本体２０（電線用カバー１０）の内方（長手方向中心の方）へ向けて凸部を形成するとともに、筒体本体２０（電線用カバー１０）の長手方向と略平行に延びるように１つ又は複数の溝４８ｂが形成される。可撓性のリング状移動規制部４８は、バネの如く撓んで変形することができるため、突片状移動規制部３８と協働して異なる外径を有する電線１を保持し、電線１が筒体本体２０（電線用カバー１０）内でその長手方向に移動することを規制することができる。また、同規制部４８の環状外面４８ａに所望数の溝４８ｂを形成することにより、同規制部４８をたわみ変形しやすくできる。これによって、同規制部４８が電線1を押圧する力を調整することができる。なお、可撓性のリング状移動規制部４８は、バネ作用を奏するその他の部材により置き換えることができる。突片状移動規制部３８及びリング状移動規制部４８は、一つでもよいし、三つ以上設けられてもよい。突片状移動規制部３８は設けられなくてもよい。溝４８ｂは形成されなくてもよい。
【００１９】
第一の半筒体３０の他の縁部３２近傍に、（例えば、３つの）係合突起３９が設けられる。第二の半筒体４０の他の縁部４２近傍に、係合突起３９と係着自在の係合孔４９が設けられる。これによって、第一の半筒体３０の他の縁部３２と第二の半筒体４０の他の縁部４２とは、解除可能に合着することができる。図１に示すように、把持部材７０は、基端側の連結部７１を介して第一の半筒体３０の他の縁部３２近傍の外面３４に所定箇所に設けられる。把持部材７０の基端面のうち連結部７１より第一の半筒体３０側にある面は、把持部材７０が連結部７１を支点として筒体本体２０に対して相対的に図４中のＣ方向（時計回り）に所定角度回動すると、第一の半筒体３０の外面３４に当接して当該回動を規制する回動規制部７２として機能する。図１及び図４に示すように、把持部材７０の上下面７３は、間接活線工具により把持する際、滑らないように粗化される（例えば、表面に複数の歯などのぎざぎざが形成される）。なお、連結部７１は、図４に示すように、所定の外力が加えられると破断するように薄肉に形成されてもよい。
【００２０】
図６中、可撓性のヒンジ部５０は、枢軸部５１を介して各一端部５２ａ，５３ａが連結する板部５２及び板部５３を備える。ヒンジ部５０は、板部５２及び板部５３よりも薄肉に形成され、より撓みやすくされてもよい。板部５２及び板部５３の各他端部５２ｂ，５３ｂは夫々、縮径端部３５及び縮径端部４５の一の縁部３１，４１側の端部３５ａ，４５ａと連結する。当該連結する部分は、板部５２及び板部５３や縮径端部３５及び縮径端部４５よりも薄肉に形成され、より撓みやすくされてもよい。ヒンジ部５０は、筒体本体２０と一体成形されてもよい。図２に示すように、縮径端部３５及び縮径端部４５とが１８０度離間した状態において、板部５２と板部５３とが鋭角αを形成し、筒体本体２０の長手方向に直交するヒンジ部５０の横断面は、枢軸部５１を頂点とする略Ｖ字形状である。なお、この状態において、ヒンジ部５０の横断面は、板部５２と板部５３とが約１８０度を形成するような略直線状であってもよい。第一の半筒体３０の他の縁部３２と第二の半筒体４０の他の縁部４２とが合着するために第一の半筒体３０と第二の半筒体４０とが互いに近接するように回動すると、ヒンジ部５０の先端５１ａが下方（図２中、Ｄ方向）へ移動し、ヒンジ部５０の回動を容易にする。図４に示すように、第一の半筒体３０の他の縁部３２と第二の半筒体４０の他の縁部４２とが合着した状態において、板部５２と板部５３とが鋭角βを形成し、筒体本体２０の長手方向に直交するヒンジ部５０の横断面は、枢軸部５１を頂点とする略Ｖ字形状である。他方のヒンジ部６０も、上述したヒンジ部５０と同様の構成を有する。
【００２１】
［実施例２］
図７に示す電線用カバー１０’は、電線用カバー１０の突片状移動規制部３８及びリング状移動規制部４８に対応する構成を備えていない点を除き、電線用カバー１０と同様の構成を備える。したがって、電線用カバー１０の構成に対応する電線用カバー１０’の構成には電線用カバー１０の構成に付された参照番号に「’」を加えて付し、その説明を省略する。
【００２２】
電線用カバー１０’の第一の半筒体３０’の内面３３’に、収縮自在な保持部材８０’の裏面８１’（図示せず）が固着される。保持部材８０’の表面８２’（図示せず）には、粘着層８３’が形成される。第二の半筒体４０’は、上述した第一の半筒体３０’と同様に表面９２’に粘着層９３’が形成された保持部材９０’が固着される。粘着層９３’は第一に、電線用カバー１０’を電線１に装着した際、粘着層９３’が電線１に粘着することにより電線１に対する電線用カバー１０’の移動防止を目的とする。また、第二に、粘着層８３’が電線１の電極痕部１ｅ（図９参照）近傍に固着することにより電極痕部１ｅからの漏電等防止を目的とする。保持部材８０’、９０’が収縮自在であることにより、電線用カバー１０’は、異なる外径を有する電線１を保持することができる。保持部材８０’、９０’は、発泡材料から形成されてもよい。保持部材８０’、９０’は、収縮状態から復帰可能であることが好ましい。粘着層８３’，９３’は、粘着テープ等を介して各表面８２’、９２’に形成されてもよい。
【００２３】
電線用カバー１０’が備えるヒンジ部５０’，６０’、傾斜部３３ａ’，３３ｂ’，４３ａ’，４３ｂ’、及びスリット２３’，２４’の作用により、従来技術のようにシール材によって刃型電極痕を確実に塞がなくても要求される耐電圧性能を満たすという有利な効果を奏する。
【００２４】
［実施例１の使用方法］
導体である芯線部１ａと芯線部１ａを絶縁被覆する絶縁部１ｂとを備える電線１（図８参照）に対して実施例１に係る電線用カバー１０を装着する方法を説明する。電線１は、所定箇所の絶縁部１ｂが剥がされた露出部１ｃを有する。
【００２５】
図９に示すように、電線用カバー１０は、第一の半筒体３０と第二の半筒体４０とがなす角度γが所定の鈍角になるように第一の半筒体３０及び第二の半筒体４０が互いに近接させられた状態（筒体本体２０を多少閉じた状態）にてくせづけされた後、ヤットコ等の間接活線工具２により把持部材７０が把持され、内面３３，４３が作業者の方を向き把持部材７０が下方へ向いた状態で電線１に対して引っ掛けられる。筒体本体２０は多少閉じた状態にあるので、電線１に引っ掛けやすい。ここで、間接活線工具２により把持部材７０が把持された状態で電線用カバー１０が電線１に対して近づけられるとき、回動規制部７２は、第一の半筒体３０の外面３４に当接することにより、筒体本体２０が作業者から逃げる方向（図９中、Ｅ方向）へ回動することを規制する。換言すれば、筒体本体２０は、回動規制部７２により当接支持される。これによって、筒体本体２０が作業者の方へ倒れ込むことを防止できるため電線用カバー１０を電線１に対して安定して装着することができ、また、半筒体３０，４０の各他の縁部３２，４２が作業者から視認できる状態での電線用カバー１０の装着が可能になるため、作業性が向上する効果がある。
【００２６】
電線用カバー１０が電線１に引っ掛けられる際、２つの突片状移動規制部３８の外端間の距離ｌ（図１参照）及び２つのリング状移動規制部４８の外端間の距離ｌは、露出部１ｃの長さｍと略同一であり、突片状移動規制部３８の各外端及びリング状移動規制部４８の各外端が露出部１ｃの両側にある絶縁部１ｂの切断面１ｄに当接するように位置決めされる。これによって、電線用カバー１０の電線１に対する長手方向の移動は、突片状移動規制部３８及びリング状移動規制部４８により規制されることになる。なお、距離ｌは、長さｍより短くてもよい。
【００２７】
次に、図１０に示すように、筒体本体２０は、間接活線工具２により第一の半筒体３０及び第二の半筒体４０の各所定箇所を挟持される。筒体本体２０は、間接活線工具２の操作により完全に閉じられ、係合突起３９と係合孔４９（図示せず）とが係着することにより、第一の半筒体３０の他の縁部３２と第二の半筒体４０の他の縁部４２とは、解除可能に合着される。続いて、把持部材７０が間接活線工具２により捻られてその基端側の連結部７１が破断され、把持部材７０は、電線用カバー１０から取り外される。露出部１ｃを覆うように電線用カバー１０が電線１に装着されることにより、電線１は、乾燥状態はもとより散水された状態であっても所定の耐電圧基準（例えば、ＪＩＳ  Ｃ０９２０に定められた基準）を満たすことができる。
【００２８】
［実施例２の使用方法］
導体である芯線部１ａと芯線部１ａを絶縁被覆する絶縁部１ｂとを備える電線１（図１１参照）に対して実施例２に係る電線用カバー１０’を装着する方法を説明する。電線１は、所定箇所のクランプの刃型電極（図示せず）により絶縁部１ｂが貫通された電極痕部１ｄを有する。
【００２９】
電線用カバー１０’の装着方法は、上述した電線用カバー１０の装着方法と大略同様であるので、相違点について説明する。電線用カバー１０’を電線１に装着する際、保持部材８０’，９０’が電極痕部１ｅを覆うように位置決めされる。その他の装着工程は、電線用カバー１０の装着方法の工程と同様である。電線用カバー１０’が電線１に対して完全に装着されると、保持部材８０’，９０’の粘着層８３’，９３’が電極痕部１ｅを覆った状態で絶縁部１ｂに対して粘着される。電線用カバー１０’が電線１に装着されることにより、電線１は、乾燥状態はもとより散水された状態であっても所定の耐電圧基準（例えば、ＪＩＳ  Ｃ０９２０に定められた基準）を満たすことができる。
【産業上の利用可能性】
【００３０】
本発明は、バイパス経路を施すために施工された架空配電線等の電線に使用する電線用カバーに適用することができる。
【符号の説明】
【００３１】
１０      電線用カバー
２０      筒体本体
３０      第一の半筒体
４０      第二の半筒体
５０      ヒンジ部
６０      ヒンジ部
７０      把持部材
【図１】
0005554632.tif 000002
【図２】
0005554632.tif 000003
【図３】
0005554632.tif 000004
【図４】
0005554632.tif 000005
【図５】
0005554632.tif 000006
【図６】
0005554632.tif 000007
【図７】
0005554632.tif 000008
【図８】
0005554632.tif 000009
【図９】
0005554632.tif 000010
【図１０】
0005554632.tif 000011
【図１１】
0005554632.tif 000012